【手続補正書】
【提出日】平成19年12月10日(2007.12.10)
【手続補正１】
【補正対象書類名】明細書
【補正対象項目名】特許請求の範囲
【補正方法】変更
【補正の内容】
【特許請求の範囲】
【請求項１】
双眼観察を可能とする双眼光学系と、この双眼光学系とは別に設けられた撮影光学系を通して撮影を行う撮影系とが、
この撮影系による撮影範囲を前記双眼光学系による観察視野内にて観察可能とし、かつ前記撮影範囲が前記観察視野に対応した大きさとなるように設けられていることを特徴とする双眼観察撮影装置。
【請求項２】
前記撮影範囲が、前記観察視野に略内接する大きさであることを特徴とする請求項１に記載の双眼観察撮影装置。
【請求項３】
前記撮影範囲が、この撮影範囲の外縁の少なくとも一部が前記観察視野の外縁に略一致する大きさであることを特徴とする請求項１に記載の双眼観察撮影装置。
【請求項４】
双眼観察を可能とする双眼光学系と、この双眼光学系とは別に設けられた撮影光学系を通して撮影を行う撮影系とを有し、
前記双眼光学系による観察視野内に前記撮影系による撮影範囲を示す指標を設けたことを特徴とする双眼観察撮影装置。
【請求項５】
前記指標が前記観察視野内に表示されるマークであることを特徴とする請求項４に記載の双眼観察撮影装置。
【請求項６】
前記指標が前記観察視野の外縁を構成する部材に形成された凹形状部又は凸形状部であることを特徴とする請求項４に記載の双眼観察撮影装置。
【請求項７】
双眼観察を可能とする双眼光学系と、この双眼光学系とは別に設けられた撮影光学系を通して撮影を行う撮影系とを有し、
前記双眼光学系の焦点調節動作と前記撮影光学系の焦点調節動作とを連動させることを特徴とする双眼観察撮影装置。
【請求項８】
前記双眼光学系の焦点調節動作に前記撮影光学系の焦点調節動作を連動させる連動機構を設けたことを特徴とする請求項７に記載の双眼観察撮影装置。
【請求項９】
前記双眼光学系の焦点調節動作がマニュアルにより行われ、この双眼光学系の焦点調節動作に前記撮影光学系の焦点調節動作を連動させる連動機構を有するとともに、前記撮影系に焦点調節動作を行わせるオートフォーカス手段を有することを特徴とする請求項７に記載の双眼観察撮影装置。
【請求項１０】
双眼観察を可能とする双眼光学系と、この双眼光学系とは別に設けられた撮影光学系を通して撮影を行う撮影系とが、
前記撮影光学系の少なくとも一部が前記双眼光学系を構成する左右の対物光学系により挟まれる領域に位置するように設けられていることを特徴とする双眼観察撮影装置。
【手続補正２】
【補正対象書類名】明細書
【補正対象項目名】００１８
【補正方法】変更
【補正の内容】
【００１８】
１  撮影中はＣＣＤに導光するためのミラーが光路に進入するため、観察像を同時に見ることができない（特開平７−４９４５６号公報）。
【手続補正３】
【補正対象書類名】明細書
【補正対象項目名】００２７
【補正方法】変更
【補正の内容】
【００２７】
そこで、本発明は、本来の双眼鏡の機能を損なうことなく、観察中にいつでも撮影を行うことができ、しかも、観察像に対応した超望遠撮影像に対してもその撮影範囲を観察中に決められ、さらに観察像に対応した望遠撮影像であっても観察中のフォーカス調節をすることで撮影像にもピントを合わせることができ、コンパクトな装置としてまとめることができるようにした双眼観察撮影装置を提供することを目的としている。
【手続補正４】
【補正対象書類名】明細書
【補正対象項目名】００２９
【補正方法】変更
【補正の内容】
【００２９】
すなわち、双眼光学系とは別の撮影光学系を通して撮影を行うようにして、高品位な像観察を行えるという双眼観察装置としての本来の機能を維持しつつ、像の観察を行いながらその像の撮影を行うことができるようにするとともに、観察系と撮影系との間での光路切換えのためのミラー移動等の必要をなくし、観察中にいつでも直ちに撮影を行うことを可能としている。また、ビームスプリッター等により観察系と撮影系とに光束を分割する場合に比べて観察系への光量が低下するといった不都合もなくすことができる。
【手続補正５】
【補正対象書類名】明細書
【補正対象項目名】００３２
【補正方法】変更
【補正の内容】
【００３２】
具体的には、例えば、観察視野内に撮影範囲を示すマークや観察視野の外縁を形成する部材に凹形状部又は凸形状部を設ける。
【手続補正６】
【補正対象書類名】明細書
【補正対象項目名】００３４
【補正方法】変更
【補正の内容】
【００３４】
また、本願第３の発明の双眼観察撮影装置では、双眼観察を可能とする双眼光学系と、この双眼光学系とは別に設けられた撮影光学系を通して撮影を行う撮影系とを設け、双眼光学系の焦点調節動作と撮影光学系の焦点調節動作とを連動させるようにしている。
【手続補正７】
【補正対象書類名】明細書
【補正対象項目名】００３６
【補正方法】変更
【補正の内容】
【００３６】
また、本願第４の発明の双眼観察撮影装置では、双眼観察を可能とする双眼光学系と、この双眼光学系とは別に設けられた撮影光学系を通して撮影を行う撮影系とを、撮影光学系の少なくとも一部が双眼光学系を構成する左右の対物光学系により挟まれる領域に位置するように設けている。
【手続補正８】
【補正対象書類名】明細書
【補正対象項目名】００４２
【補正方法】変更
【補正の内容】
【００４２】
１０はフォーカスダイアルであり、このフォーカスダイアル１０を使用者が回転操作することにより、対物レンズ２Ｌ，２Ｒが同時に同量だけ光軸方向に移動し、観察時のマニュアルフォーカス調節を行うことができる。
【手続補正９】
【補正対象書類名】明細書
【補正対象項目名】００４４
【補正方法】変更
【補正の内容】
【００４４】
１３は防振スイッチであり、使用者がこの防振スイッチ１３を押すことでバリアングルプリズム４Ｌ，４Ｒによる防振機能が有効になり、再び押すことで無効になる。なお、防振機能が有効になってから所定時間経過すると、自動的に防振機能がＯＦＦ（無効）になるようにすることもできる。この防振スイッチ１３は、双眼鏡による観察時において使われる。
【手続補正１０】
【補正対象書類名】明細書
【補正対象項目名】００５１
【補正方法】変更
【補正の内容】
【００５１】
また、１７ｂのように、撮影範囲の左右辺部（短辺部）が観察視野１６の左右外縁に略一致するように撮影範囲が設定されている場合には、観察中において、観察視野１６に対して撮影範囲１７ｂが左右方向は観察視野１６とほぼ同じで、上下方向は少しカットされる（３／４倍になる）ことを念頭に置けば、撮影範囲１７ｂを観察視野１６から概ね特定できる。
【手続補正１１】
【補正対象書類名】明細書
【補正対象項目名】００５２
【補正方法】変更
【補正の内容】
【００５２】
さらに、１７ｃのように、撮影範囲の上下辺部（長辺部）が観察視野１６の上下外縁に略一致するように撮影範囲が設定されている場合には、観察中において、観察視野１６に対して撮影範囲１７ｃが上下方向は観察視野１６とほぼ同じで、左右方向は少し広い（４／３倍になる）ことを念頭に置けば、撮影範囲１７ｃを観察視野１６から概ね特定できる。
【手続補正１２】
【補正対象書類名】明細書
【補正対象項目名】００５３
【補正方法】変更
【補正の内容】
【００５３】
このように、撮影範囲と観察視野とをいわば関連付けることにより、撮影時に撮影範囲が判らずに戸惑うことを防止でき、観察しながらの撮影を快適に進めることができる。なお、上述した撮影範囲１７ａ，１７ｂ，１７ｃは例であり、これらに近い撮影範囲を設定してもよい。
【手続補正１３】
【補正対象書類名】明細書
【補正対象項目名】００５４
【補正方法】変更
【補正の内容】
【００５４】
以上説明した本実施形態の双眼鏡においては、観察系の観察視野および観察機能に関して一切の変更を加えることなく、撮影機能を付加することができる。このため、観察視野の明るさの低下や撮影時の切り換え操作、或いは撮影時から観察時の復帰操作などの煩わしさをなくすることができる。
（第２実施形態）
図５には、本発明の第２実施形態であるカメラ付き双眼鏡（双眼観察撮影装置）における観察視野と撮影範囲との関係を示している。
【手続補正１４】
【補正対象書類名】明細書
【補正対象項目名】００５６
【補正方法】変更
【補正の内容】
【００５６】
本実施形態では、図５に示すように、観察視野２６の円形外縁を構成する視野環７Ｌ，７Ｒにおける撮影範囲２７の対角頂点部が略内接する４箇所に、撮影範囲２７の対角頂点部に沿った形状の小さな凹形状部２６ａを設けている。
【手続補正１５】
【補正対象書類名】明細書
【補正対象項目名】００５７
【補正方法】変更
【補正の内容】
【００５７】
これにより、観察時に見える凹形状部２６ａが撮影範囲２７を特定するための指標となり、第１実施形態の場合と比較して撮影範囲２７をより明確かつ正確に特定することができる。
【手続補正１６】
【補正対象書類名】明細書
【補正対象項目名】００５８
【補正方法】変更
【補正の内容】
【００５８】
但し、本双眼鏡では、前述したように目幅調整によって接眼ユニット９Ｌ，９Ｒが回転し、これに伴い視野環７Ｌ，７Ｒ自体も回転する。このため、凹形状部２６ａも回転してしまい、撮影範囲２７との不整合が生ずる。そこで、この対策として、接眼ユニット９Ｌ，９Ｒの目幅調整時の回転を左右のどちらか一方の接眼ユニットに限定し、残りの一方を固定接眼ユニットとして、この固定接眼ユニット側の視野環にだけ凹形状部２６ａを形成することとすればよい。
【手続補正１７】
【補正対象書類名】明細書
【補正対象項目名】００５９
【補正方法】変更
【補正の内容】
【００５９】
また、凹形状部２６ａを両方の接眼ユニット９Ｌ，９Ｒの視野環７Ｌ，７Ｒに形成し、眼幅調整時に左右の接眼ユニット９Ｌ，９Ｒが同時に逆方向に同量だけ回転できるようにするとともに、視野環７Ｌ，７Ｒがそれぞれの接眼ユニットの回転方向とは逆方向に接眼ユニットの回転量と同量回転するようにしてもよい。これにより、眼幅調整を行っても、凹形状部２６ａの位置が変化してしまうのを防止することができる。
【手続補正１８】
【補正対象書類名】明細書
【補正対象項目名】００６７
【補正方法】変更
【補正の内容】
【００６７】
本実施形態では、図７に示すように、観察視野４６中における撮影領域４７の外縁を特定させるため、観察視野４６内に水平線マーク４７ａ，４７ｂを設けている。
【手続補正１９】
【補正対象書類名】明細書
【補正対象項目名】００７３
【補正方法】変更
【補正の内容】
【００７３】
（第５実施形態）
図８には、本発明の第５実施形態であるカメラ付き双眼鏡（双眼観察撮影装置）において、撮影光学系のフォーカス調節（焦点調節動作）を双眼光学系のフォーカス調節に連動させるための構成を示している。
【手続補正２０】
【補正対象書類名】明細書
【補正対象項目名】００７９
【補正方法】変更
【補正の内容】
【００７９】
ここで、連動アーム５８の長穴部６０，６１に係合する鏡筒ピン５４，５７のアーム回動軸５９からの距離をそれぞれ、Ｘ，Ｙとしたときに、これらＸとＹの比を撮影フォーカスレンズ５５と観察フォーカスレンズ５２Ｒのフォーカス移動量に関連付けることで、双眼光学系のフォーカス調節を行うと同時に撮影光学系のフォーカス調節をも行うことができる。
【手続補正２１】
【補正対象書類名】明細書
【補正対象項目名】００８１
【補正方法】変更
【補正の内容】
【００８１】
また、ＣＣＤ６２の基準位置は、例えばフォーカス調節を双眼鏡の無限遠観察状態にした状態で、撮影フォーカスレンズ５５による焦点像が合う位置に固定するようにすればよく、無限遠以外の観察距離に関しては双眼光学系のフォーカス調節を行えば、撮影系のフォーカス位置もおのずと定まることになる。
【手続補正２２】
【補正対象書類名】明細書
【補正対象項目名】００８２
【補正方法】変更
【補正の内容】
【００８２】
なお、本実施形態では、双眼光学系のフォーカス調節を行うことにより連動アーム５８を含む連動機構によって撮影光学系のフォーカス調節を可能とする場合について説明したが、連動方式は連動機構による方式（機械的な連動方式）だけでなく、エンコーダーやアクチュエーターを用いた電子的な連動方式を採用してもよい。
【手続補正２３】
【補正対象書類名】明細書
【補正対象項目名】００８６
【補正方法】変更
【補正の内容】
【００８６】
なお、このオートフォーカス機能を実現するためのＣＣＤ６２（或いはＣＣＤ６２および固定基板６３）の移動量は、撮影光学系の撮影フォーカスレンズ５５がフォーカス連動機構で移動する範囲に比べてかなり小さいものでよい。なぜなら本構成においては、フォーカスの役割で考えると、撮影フォーカスレンズ５５の移動は大まかなフォーカス調節のための移動であり、ＣＣＤ６２（或いはＣＣＤ６２および固定基板６３）の移動による調整はフォーカスの微調節と位置付けすることができるからである。
【手続補正２４】
【補正対象書類名】明細書
【補正対象項目名】００８７
【補正方法】変更
【補正の内容】
【００８７】
上記構成において、使用者が観察対象を選定し、フォーカスダイアルを操作してフォーカス調節を行うと、これと同時に撮影フォーカスレンズ５５が連動して動き、撮影系（撮影光学系）の大まかなフォーカス調節が行われる。
【手続補正２５】
【補正対象書類名】明細書
【補正対象項目名】００８８
【補正方法】変更
【補正の内容】
【００８８】
観察者が好みのシーンになったときに、第１実施形態に説明したシャッターボタンを半押しすると、オートフォーカス機能によって目視で調節したフォーカスに加えて、よりピントの合った位置にＣＣＤ６２を駆動して撮影系全体としてのフォーカス微調節が行われる。このため、最終的にピントが正確に合った撮影画像が得られる。
【手続補正２６】
【補正対象書類名】明細書
【補正対象項目名】００８９
【補正方法】変更
【補正の内容】
【００８９】
特に、撮影系のフォーカス調節をオートフォーカスのみにせず、双眼光学系のフォーカス操作に連動させてフォーカスの粗調節をしておくことにより、オートフォーカス時のＣＣＤ６２の移動量も少なくて済み、合焦時間の短縮化を図ることができる。
【手続補正２７】
【補正対象書類名】明細書
【補正対象項目名】００９１
【補正方法】変更
【補正の内容】
【００９１】
また、第５および第６実施形態に示したように、撮影系のフォーカス調節を双眼光学系のフォーカス調節に連動させたことにより、本来の双眼鏡の拡大視野（例えば、８倍程度のプリズム双眼鏡でも３５版の４００ｍｍ相当の視野がある）に対応する超望遠撮影のような被写界深度の浅い撮影においても、ピントの合った撮影を行うことができる。
【手続補正２８】
【補正対象書類名】明細書
【補正対象項目名】００９５
【補正方法】変更
【補正の内容】
【００９５】
本実施形態では、左側対物レンズ７２Ｌと右側対物レンズ７２Ｒとが形成する領域７３は、図のように、左側対物レンズ７２Ｌと右側対物レンズ７２Ｒの接線を直線で結んだ２本の線と、これら２つの対物レンズ７２Ｌ，７２Ｒにより囲まれた領域であり、撮影光学系の対物レンズ７４は、その全体が上記領域７３内に収められるように配置されている。もちろん、撮影のための入射光の入射領域７４ａも同様に領域７３に収まる。
【手続補正２９】
【補正対象書類名】明細書
【補正対象項目名】００９９
【補正方法】変更
【補正の内容】
【００９９】
図１０において、左側対物レンズ８２Ｌと右側対物レンズ８２Ｒとが形成する領域８３は、図のように、左側対物レンズ８２Ｌと右側対物レンズ８２Ｒの接線を直線で結んだ２本の線と、これら２つの対物レンズ８２Ｌ，８２Ｒにより囲まれた領域であり、撮影光学系の対物レンズ８４は、その一部が上記領域８３内に収められるように配置されている。もちろん、撮影のための入射光の入射領域もその一部８４ａが領域８３に収まる。
【手続補正３０】
【補正対象書類名】明細書
【補正対象項目名】０１００
【補正方法】変更
【補正の内容】
【０１００】
撮影光学系の対物レンズ８４は、上記第７実施形態にて説明した対物レンズ７４よりも口径が大きく、双眼光学系の対物レンズ８２Ｌ，８２Ｒと同じくらいの大きさを有するため、撮影光学系の対物レンズ８４における撮影のための入射光の入射領域８４ｂは上記領域８３からはみ出す。
【手続補正３１】
【補正対象書類名】明細書
【補正対象項目名】０１０１
【補正方法】変更
【補正の内容】
【０１０１】
このように撮影光学系の対物レンズ８４の一部でも双眼光学系の左右の対物レンズ８２Ｌ，８２Ｒにより挟まれた領域８３に含めることにより、カメラ付き双眼鏡をコンパクトにまとめることができる。
【手続補正３２】
【補正対象書類名】明細書
【補正対象項目名】０１０２
【補正方法】変更
【補正の内容】
【０１０２】
また、第７および第８実施形態に示したように撮影光学系（対物レンズ）の位置を設定することにより、近距離撮影時においても観察視野と撮影範囲とのパララックスを最小限に抑える効果も得られる。
【手続補正３３】
【補正対象書類名】明細書
【補正対象項目名】０１０８
【補正方法】変更
【補正の内容】
【０１０８】
また、本願第４の発明によれば、双眼光学系を構成する左右の対物光学系により挟まれる領域に、双眼光学系とは別の撮影光学系の少なくとも一部が含まれるようにしているので、双眼光学系とは別の撮影光学系を通して撮影を行うことによる上記第１の発明と同様の作用効果が得られるとともに、装置全体をコンパクトにまとめることができ、観察視野と撮影範囲とのパララクスを小さくすることもできる。
【手続補正３４】
【補正対象書類名】明細書
【補正対象項目名】図面の簡単な説明
【補正方法】変更
【補正の内容】
【図面の簡単な説明】
【図１】本発明の第１実施形態であるカメラ付き双眼鏡の外観正面図。
【図２】上記カメラ付き双眼鏡の外観側面図。
【図３】上記カメラ付き双眼鏡の撮影光学系配置を含む外観平面図。
【図４】上記カメラ付き双眼鏡の観察視野と撮影範囲との関係を示す説明図。
【図５】本発明の第２実施形態であるカメラ付き双眼鏡の観察視野と撮影範囲との関係を示す説明図。
【図６】本発明の第３実施形態であるカメラ付き双眼鏡の観察視野と撮影範囲との関係を示す説明図。
【図７】本発明の第４実施形態であるカメラ付き双眼鏡の観察視野と撮影範囲との関係を示す説明図。
【図８】本発明の第５，第６実施形態であるカメラ付き双眼鏡のフォ−カス調節を撮影光学系と連動させる機構を示す説明図。
【図９】本発明の第７実施形態であるカメラ付き双眼鏡の撮影光学系と双眼光学系の配置を示す正面図。
【図１０】本発明の第８実施形態であるカメラ付き双眼鏡の撮影光学系と双眼光学系の配置を示す正面図。
【符号の説明】
１ 双眼鏡本体
２Ｌ，２Ｒ （双眼光学系の）対物レンズ
３ （撮影光学系の）対物レンズ
４Ｌ，４Ｒ バリアングルプリズム
５Ｌ，５Ｒ ポロＩＩ型プリズム
６Ｌ，６Ｒ 接眼レンズ
７Ｌ，７Ｒ 視野環
８Ｌ，８Ｒ アイカップゴム
９Ｌ，９Ｒ 接眼ユニット
１０ フォーカスダイアル
１１ 固体撮像素子（ＣＣＤ）
１２ 基板
１３ 防振スイッチ
１４ シャッターボタン
１５ 液晶モニター
１６，２７，３６ 観察視野
１７ａ，１７ｂ，１７ｃ，２７，３７，４７，４８ 撮影範囲
２６ａ，２６ｂ，２６ｃ，２６ｄ 凹形状部
３６ａ，３６ｂ，３６ｃ，３６ｄ 凸形状部
４７ａ，４７ｂ 水平線マーク
４８ａ，４８ｂ，４８ｃ，４８ｄ ４隅マーク
５２Ｒ 観察フォーカスレンズ
５３Ｒ （観察系の）対物鏡筒
５４，５７ 鏡筒ピン
５５ 撮影フォーカスレンズ
５６ （撮影系の）対物鏡筒
５８ 連動アーム
５９ アーム回動軸
６２ ＣＣＤ
６３ 固定基板
７２Ｌ，８２Ｌ （双眼光学系の）左側対物レンズ
７２Ｒ，８２Ｒ （双眼光学系の）右対物レンズ
７３，８３ 領域
７４，８４ （撮影光学系の）対物レンズ
８４ａ，８４ｂ 入射領域